(57)【特許請求の範囲】
【請求項１】
ユーザが装着可能な第１カメラ及び第２カメラを含むウェアラブルカメラシステムであって、
前記第１カメラは、
第１撮像部と、
前記第１撮像部が事件現場にて撮像した第１映像データ、又は前記第２カメラが前記事件現場にて撮像した第２映像データを記憶する記憶部と、
前記第２カメラが送信した前記第２映像データを受信する受信部と、
前記第１映像データ又は前記第２映像データに関する前記事件現場の映像の内容に対応する属性情報の付与操作を受け付ける入力部と、
前記付与操作に応じて、前記属性情報を前記第１映像データ又は前記第２映像データに付与して前記記憶部に記憶する制御部と、を備え、
前記第２カメラは、
第２撮像部と、
前記第２撮像部が撮像した前記第２映像データを前記第１カメラに送信する送信部と、を備える、
ウェアラブルカメラシステム。
【請求項２】
請求項１に記載のウェアラブルカメラシステムであって、
前記制御部は、前記第１カメラ又は前記第２カメラのうち一方により撮像され、かつ前記第１カメラ又は前記第２カメラのうち一方から他方に切り替えて撮像された場合に、前記他方が撮像した前記第１映像データ又は前記第２映像データに、前記付与操作に応じた前記属性情報を付与して前記記憶部に記憶する、
ウェアラブルカメラシステム。
【請求項３】
請求項１に記載のウェアラブルカメラシステムであって、
前記制御部は、前記第１カメラ又は前記第２カメラのうち一方により撮像され、かつ前記第１カメラ又は前記第２カメラのうち他方による撮像が開始された場合に、前記第１カメラが撮像した前記第１映像データ及び第２カメラが撮像した前記第２映像データに、前記付与操作に応じた前記属性情報を付与して前記記憶部に記憶する、
ウェアラブルカメラシステム。
【請求項４】
請求項１に記載のウェアラブルカメラシステムであって、
前記入力部は、
前記第１映像データ又は前記第２映像データに関する属性情報の付与操作を受け付ける第１入力部と、
前記属性情報の選択状態の指定操作を受け付ける第２入力部と、を有し、
前記制御部は、前記第２入力部の選択状態に対応する属性情報を前記第１映像データ又は前記第２映像データに付与する、
ウェアラブルカメラシステム。
【請求項５】
請求項４に記載のウェアラブルカメラシステムであって、
前記第２入力部における複数の前記選択状態に対応して異なる属性情報が割り付けられる、
ウェアラブルカメラシステム。
【請求項６】
請求項２に記載のウェアラブルカメラシステムであって、
前記第１カメラと前記第２カメラとがケーブルを介して接続された場合に、前記第１カメラ又は前記第２カメラのうち一方から他方に切り替えて撮像され、
前記第１カメラと前記第２カメラとの前記ケーブルを介した接続が切断された場合に、前記第１カメラ又は前記第２カメラのうち他方から一方に切り替えて撮像される、
ウェアラブルカメラシステム。
【請求項７】
請求項３に記載のウェアラブルカメラシステムであって、
前記第１カメラと前記第２カメラとがケーブルを介して接続された場合に、前記第１カメラ及び前記第２カメラにより撮像され、
前記第１カメラと前記第２カメラとの前記ケーブルを介した接続が切断された場合に、前記第１カメラ又は前記第２カメラのうち一方により撮像される、
ウェアラブルカメラシステム。
【請求項８】
ユーザが装着可能な第１カメラ及び第２カメラを含むウェアラブルカメラシステムにおける撮像方法であって、
前記第１カメラは、記憶部を有し、前記第１カメラが撮像した第１映像データを前記記憶部に記憶するステップを実行し、
前記第２カメラは、前記第１カメラから前記第２カメラに切り替えて撮像された場合に、前記第２カメラが撮像した第２映像データを前記第１カメラに送信するステップを実行し、
前記第１カメラは、前記第１カメラから前記第２カメラに切り替えて撮像された場合に、前記第２カメラから送信された前記第２映像データを受信するステップを実行し、前記第２映像データに関する属性情報の付与操作を受け付けるステップを実行し、前記付与操作に応じて、前記属性情報を前記第２映像データに付与して前記記憶部に記憶するステップを実行する、
撮像方法。
【請求項９】
ユーザが装着可能な第１カメラ及び第２カメラを含むウェアラブルカメラシステムにおける撮像方法であって、
前記第２カメラは、前記第２カメラから前記第１カメラに切り替えて撮像された場合に、前記第２カメラが撮像した第２映像データを前記第１カメラに送信するステップを実行し、
前記第１カメラは、記憶部を有し、前記第２カメラから前記第１カメラに切り替えて撮像された場合に、前記第２カメラから送信された前記第２映像データを受信するステップを実行し、前記第１カメラが撮像した第１映像データに関する属性情報の付与操作を受け付けるステップを実行し、前記付与操作に応じて、前記属性情報を前記第１映像データに付与して前記記憶部に記憶するステップを実行する、
撮像方法。
【請求項１０】
ユーザが装着可能な第１カメラ及び第２カメラを含むウェアラブルカメラシステムにおける撮像方法であって、
前記第１カメラは、記憶部を有し、前記第１カメラが事件現場にて撮像した第１映像データを前記記憶部に記憶するステップを実行し、
前記第２カメラは、前記第１カメラにより先に撮像され、かつ前記第２カメラによる撮像が開始された場合に、前記第２カメラが前記事件現場にて撮像した第２映像データを前記第１カメラに送信するステップを実行し、
前記第１カメラは、前記第１カメラにより先に撮像され、かつ前記第２カメラによる撮像が開始された場合に、前記第２カメラから送信された前記第２映像データを受信するステップを実行し、前記第１映像データ及び前記第２映像データに関する前記事件現場の映像の内容に対応する属性情報の付与操作を受け付けるステップを実行し、前記付与操作に応じて、前記属性情報を前記第１映像データ及び前記第２映像データに付与して前記記憶部に記憶するステップを実行する、
撮像方法。
【請求項１１】
ユーザが装着可能な第１カメラ及び第２カメラを含むウェアラブルカメラシステムにおける撮像方法であって、
前記第２カメラは、前記第２カメラにより先に撮像され、かつ前記第１カメラによる撮像が開始された場合に、前記第２カメラが事件現場にて撮像した第２映像データを前記第１カメラに送信するステップを実行し、
前記第１カメラは、記憶部を有し、前記第２カメラにより先に撮像され、かつ前記第１カメラによる撮像が開始された場合に、前記第２カメラから送信された前記第２映像データを受信するステップを実行し、前記第１カメラが前記事件現場にて撮像した第１映像データ及び前記第２映像データに関する前記事件現場の映像の内容に対応する属性情報の付与操作を受け付けるステップを実行し、前記付与操作に応じて、前記属性情報を前記第１映像データ及び前記第２映像データに付与して前記記憶部に記憶するステップを実行する、
撮像方法。
【発明の詳細な説明】
【技術分野】
【０００１】
本発明は、例えば人の身体又は着用した衣服、帽子等に装着可能なウェアラブルカメラを用いて撮像するウェアラブルカメラシステム及び撮像方法に関する。
【背景技術】
【０００２】
近年、例えば警察官や警備員の業務を支援するために、警察官や警備員の身体、衣服、帽子等に装着されて使用されるウェアラブルカメラの導入が検討されている。
【０００３】
ここで、ウェアラブルカメラを用いた先行技術として、例えば特許文献１に記載されたウェアラブル監視カメラシステムがある。特許文献１に示すウェアラブル監視カメラシステムは、身体に装着するＣＣＤカメラ手段及びマイク手段からの映像信号及び音声信号、並びに内蔵のクロック手段からの日時情報信号を、体に装着するウエストポーチに収納するエンコードサーバ手段によりエンコードし、更に、文字情報に変換した日時情報を撮像した映像にスーパーインポーズして記録する。
【先行技術文献】
【特許文献】
【０００４】
【特許文献１】特開２００６−１４８８４２号公報
【発明の概要】
【発明が解決しようとする課題】
【０００５】
ウェアラブルカメラが撮像した映像データを記録して保存する（つまり、録画する）際に、例えば特許文献１に記載のシステムのように、映像信号と日時情報とを関連づけて記録する等、後日録画した映像データを再生する場合に目的の映像データの抽出、検索ができる。例えば、日時情報の他に、撮像された映像の内容を示す情報等、各種属性情報を映像データに関連付けて付与しておくと、目的の映像データの抽出、検索が容易にできて便利である。
【０００６】
しかし、属性情報を映像データに付与する場合、ウェアラブルカメラが録画した映像データを後でＰＣ（パーソナルコンピュータ）等を用いて再生して映像内容を確認してから付与する等、属性情報の付与に手間がかかる。特に、警察官や警備員の業務に用いるウェアラブルカメラでは、緊急時の映像を撮像することが多いため、ＰＣを用いた属性情報の付与が困難で、後でどの映像か判別がしづらい等、録画した映像データの管理面での課題があった。
【０００７】
また、特許文献１の構成では、撮像に使用するＣＣＤカメラ手段は単一であり、複数のＣＣＤカメラ手段を用いて撮像する構成については考慮されていない。
【０００８】
このため、例えば上述した単一のウェアラブルカメラを装着した警察官が緊急の出動に応じて急行した現場の状況を証拠として撮像する際、単一のウェアラブルカメラしか設けられていない場合には、ウェアラブルカメラは通常、一度装着するとその装着箇所を変更することはないため、撮像可能な範囲が制限されてしまい、単一のウェアラブルカメラを用いて現場の状況を的確かつ広範に撮像することが困難な場合があり、録画した映像データを取り扱う上での利便性が劣化するという課題があった。
【０００９】
本発明は、上述した課題を解決するために、警察官における現場の状況の的確かつ広範な撮像を支援し、撮像した映像データを取り扱う上での利便性を向上させるウェアラブルカメラシステム及び撮像方法を提供することを目的とする。
【課題を解決するための手段】
【００１０】
本発明は、ユーザが装着可能な第１カメラ及び第２カメラを含むウェアラブルカメラシステムであって、前記第１カメラは、第１撮像部と、前記第１撮像部が事件現場にて撮像した第１映像データ、又は前記第２カメラが前記事件現場にて撮像した第２映像データを記憶する記憶部と、前記第２カメラが送信した前記第２映像データを受信する受信部と、前記第１映像データ又は前記第２映像データに関する前記事件現場の映像の内容に対応する属性情報の付与操作を受け付ける入力部と、前記付与操作に応じて、前記属性情報を前記第１映像データ又は前記第２映像データに付与して前記記憶部に記憶する制御部と、を備え、前記第２カメラは、第２撮像部と、前記第２撮像部が撮像した前記第２映像データを前記第１カメラに送信する送信部と、を備える。
【００１１】
また、本発明は、ユーザが装着可能な第１カメラ及び第２カメラを含むウェアラブルカメラシステムにおける撮像方法であって、前記第１カメラは、記憶部を有し、前記第１カメラが撮像した第１映像データを前記記憶部に記憶するステップを実行し、前記第２カメラは、前記第１カメラから前記第２カメラに切り替えて撮像された場合に、前記第２カメラが撮像した第２映像データを前記第１カメラに送信するステップを実行し、前記第１カメラは、前記第１カメラから前記第２カメラに切り替えて撮像された場合に、前記第２カメラから送信された前記第２映像データを受信するステップを実行し、前記第２映像データに関する属性情報の付与操作を受け付けるステップを実行し、前記付与操作に応じて、前記属性情報を前記第２映像データに付与して前記記憶部に記憶するステップを実行する、撮像方法である。
【００１２】
また、本発明は、ユーザが装着可能な第１カメラ及び第２カメラを含むウェアラブルカメラシステムにおける撮像方法であって、前記第２カメラは、前記第２カメラから前記第１カメラに切り替えて撮像された場合に、第２カメラが撮像した第２映像データを前記第１カメラに送信するステップを実行し、前記第１カメラは、記憶部を有し、前記第２カメラから前記第１カメラに切り替えて撮像された場合に、前記第２カメラから送信された前記第２映像データを受信するステップを実行し、前記第１カメラが撮像した第１映像データに関する属性情報の付与操作を受け付けるステップを実行し、前記付与操作に応じて、前記属性情報を前記第１映像データに付与して前記記憶部に記憶するステップを実行する、撮像方法である。
【００１３】
また、本発明は、ユーザが装着可能な第１カメラ及び第２カメラを含むウェアラブルカメラシステムにおける撮像方法であって、前記第１カメラは、記憶部を有し、前記第１カメラが事件現場にて撮像した第１映像データを前記記憶部に記憶するステップを実行し、前記第２カメラは、前記第１カメラにより先に撮像され、かつ前記第２カメラによる撮像が開始された場合に、前記第２カメラが前記事件現場にて撮像した第２映像データを前記第１カメラに送信するステップを実行し、前記第１カメラは、前記第１カメラにより先に撮像され、かつ前記第２カメラによる撮像が開始された場合に、前記第２カメラから送信された前記第２映像データを受信するステップを実行し、前記第１映像データ及び前記第２映像データに関する前記事件現場の映像の内容に対応する属性情報の付与操作を受け付けるステップを実行し、前記付与操作に応じて、前記属性情報を前記第１映像データ及び前記第２映像データに付与して前記記憶部に記憶するステップを実行する、撮像方法である。
【００１４】
更に、本発明は、ユーザが装着可能な第１カメラ及び第２カメラを含むウェアラブルカメラシステムにおける撮像方法であって、前記第２カメラは、前記第２カメラにより先に撮像され、かつ前記第１カメラによる撮像が開始された場合に、前記第２カメラが事件現場にて撮像した第２映像データを前記第１カメラに送信するステップを実行し、前記第１カメラは、記憶部を有し、前記第２カメラにより先に撮像され、かつ前記第１カメラによる撮像が開始された場合に、前記第２カメラから送信された前記第２映像データを受信するステップを実行し、前記第１カメラが前記事件現場にて撮像した第１映像データ及び前記第２映像データに関する前記事件現場の映像の内容に対応する属性情報の付与操作を受け付けるステップを実行し、前記付与操作に応じて、前記属性情報を前記第１映像データ及び前記第２映像データに付与して前記記憶部に記憶するステップを実行する、撮像方法である。
【発明の効果】
【００１５】
本発明によれば、警察官における現場の状況の的確かつ広範な撮像を支援し、撮像した映像データを取り扱う上での利便性を向上させることができる。
【図面の簡単な説明】
【００１６】
【図１】本実施形態のウェアラブルカメラシステムの概要とウェアラブルカメラ（第１カメラ、第２カメラ）により撮像された映像データの使用に関する説明図
【図２】警察官が第１カメラ及び第２カメラの両方を装着した状態の一例を示す図
【図３】本実施形態の第１カメラ及び第２カメラの外観の一例を示す図
【図４】本実施形態の第１カメラの外観の一例を示す左側面図
【図５】本実施形態の第１カメラの外観の一例を示す右側面図
【図６】本実施形態の第１カメラの内部構成の一例を示すブロック図
【図７】本実施形態の第２カメラの内部構成の一例を示すブロック図
【図８】属性選択スイッチと属性情報との関係の一例を示す図
【図９】録画データのデータ構造の一例を示す図
【図１０】録画映像リストの第１例を示す図
【図１１】本実施形態のウェアラブルカメラシステムにおいて１ｃｈ録画に用いるウェアラブルカメラの切替、及び切替後に用いたウェアラブルカメラにより録画した１個の録画データに１個の属性情報を付与する動作手順の一例を説明するフローチャート
【図１２】録画映像リストの第２例を示す図
【図１３】本実施形態のウェアラブルカメラシステムにおいて同時２ｃｈ録画への切替、及び同時２ｃｈ録画に用いた各ウェアラブルカメラにより録画した各録画データに対して共通の属性情報を付与する動作手順の一例を説明するフローチャート
【発明を実施するための形態】
【００１７】
以下、本発明に係るウェアラブルカメラシステム及び撮像方法を具体的に開示した実施形態（以下、「本実施形態」という）について、図面を参照して詳細に説明する。本実施形態のウェアラブルカメラシステムは、ユーザ（例えば警察官ＯＦ。以下同様。）が身体、衣服、冒頭等に装着可能なウェアラブルカメラである第１カメラ，第２カメラを含む構成である。本実施形態では、警察官は、先ず第１カメラにより撮像している時に第２カメラに切り替えて撮像したり、先ず第２カメラにより撮像している時に第１カメラに切り替えて撮像する。また、警察官は、第１カメラ或いは第２カメラの一方のウェアラブルカメラにより撮像している時に、他方のウェアラブルカメラを追加して両方のウェアラブルカメラにより撮像する。
【００１８】
図１は、本実施形態のウェアラブルカメラシステム１００の概要とウェアラブルカメラ（第１カメラ１０、第２カメラ１０Ｓ）により撮像された映像データの使用に関する説明図である。本実施形態のウェアラブルカメラシステム１００では、ユーザ（例えば警察官ＯＦ）が身体、衣服又は帽子等に装着可能なウェアラブルカメラである第１カメラ１０、第２カメラ１０Ｓ又はその両方が使用される。
【００１９】
第１カメラ１０は、スマートフォン等の携帯端末５０、車（例えばパトカー）に搭載された車載システム６０、ユーザの組織内に配備されたサーバ（バックエンドサーバＳＶ１，ＳＶ２，ＳＶ３）等との間で通信を行う通信機能を有するウェアラブルカメラである。
【００２０】
第２カメラ１０Ｓは、第１カメラ１０との間で通信を行う通信機能を有するウェアラブルカメラである。図１では図示が省略されているが、第１カメラ１０と第２カメラ１０ＳとはケーブルＣＢ（図２参照）を介して接続される。
【００２１】
また、ウェアラブルカメラシステム１００において、第１カメラ１０、第２カメラ１０Ｓ、携帯端末５０及び車載システム６０がフロントエンドシステムを構成し、ネットワーク上の管理ソフトウェア７０及びバックエンドサーバＳＶ１，ＳＶ２，ＳＶ３がバックエンドシステムを構成する。
【００２２】
以下、本実施形態を分かり易く説明するために、ウェアラブルカメラシステム１００の使用形態の一例として、例えば警察署の警察官ＯＦが第１カメラ１０及び第２カメラ１０Ｓを装着して使用する場合を想定して説明する（図２参照）。この場合、警察官ＯＦが第１カメラ１０又は第２カメラ１０Ｓのいずれかにより撮像を行い、又は第１カメラ１０及び第２カメラ１０Ｓの両方により撮像を行う。第１カメラ１０は、警察署内に配備されたバックエンドシステムに対し、第１カメラ１０、第２カメラ１０Ｓ又はその両方の撮像により得られた映像データを転送する。バックエンドサーバＳＶ１，ＳＶ２，ＳＶ３では、第１カメラ１０から転送された映像データが蓄積される。なお、第１カメラ１０は、ユーザが警察官ＯＦに限定されず、その他様々な事業所（例えば、警備会社）において使用されてもよい。
【００２３】
図１に示すフロントエンドシステムは、現場の最前線に出動する警察官ＯＦが装着可能な第１カメラ１０及び第２カメラ１０Ｓと、警察官ＯＦが保持する携帯端末５０と、パトカー内に設置された車載システム６０とを含む構成である。携帯端末５０は、スマートフォン、携帯電話機、タブレット端末、ＰＤＡ（Personal Digital Assistant）等の無線通信装置である。車載システム６０は、カメラ、ＰＣ、通信ユニット等を有し、車載カメラシステム、映像管理システム等を構成する。
【００２４】
警察官ＯＦは、所定の用件（例えばパトロール）で警察署から出動する際、第１カメラ１０及び第２カメラ１０Ｓを装着し、携帯端末５０を保持し、車載システム６０を搭載したパトカーに乗車して現場に向かう。フロントエンドシステムにおいて、例えばパトカーが到着した現場の映像を車載システム６０のカメラ（不図示）により撮像し、更に、警察官ＯＦがパトカーから降車して現場のより詳細な映像を第１カメラ１０、第２カメラ１０Ｓ又はその両方により撮像する。第１カメラ１０、第２カメラ１０Ｓ又はその両方が撮像した動画又は静止画の映像データは、携帯端末５０のメモリ等の記録部、又は車載システム６０のＰＣのストレージ等による記録部に保存され、バックエンドシステムに転送（アップロード）される。また、携帯端末５０又は車載システム６０は、映像データを含む各種データをバックエンドシステムに転送する。バックエンドシステムへのデータ転送は、現場から無線通信により接続して行うか、或いは、パトロールが終了して警察署に戻った際に、有線通信、無線通信、又は手動（例えば記憶媒体の持ち運び）により行う。
【００２５】
図１に示すバックエンドシステムは、警察署内又は他の場所に設置されたバックエンドサーバＳＶ１〜ＳＶ３と、フロントエンドシステムとの通信を行うための管理ソフトウェア７０とを含む構成である。バックエンドサーバＳＶ１〜ＳＶ３は、内部又は外部にハードディスク（ＨＤＤ）等によるストレージを備える。バックエンドシステムでは、フロントエンドシステムから転送された映像データ及び他のデータが、バックエンドサーバＳＶ１〜ＳＶ３に蓄積される。バックエンドサーバＳＶ１〜ＳＶ３は、第１カメラ１０又は車載システム６０から転送された映像データを受信し、ＨＤＤ（Hard Disk Drive）等のストレージに保存する。
【００２６】
バックエンドシステムに蓄積された映像データは、例えば警察署内の関係部署の担当者により利用され、必要に応じて、所定の記憶媒体（例えばＤＶＤ：Digital Versatile Disk）に映像データがコピーされて、所定のシーン（例えば裁判）において証拠品として提出される。
【００２７】
本実施形態では、警察官ＯＦが装着した第１カメラ１０及び第２カメラ１０Ｓを用いて、現場の証拠映像をより的確に取得及び保存することが可能である。第１カメラ１０及び第２カメラ１０Ｓを用いる際、ユーザ（警察官ＯＦ）の識別情報（ユーザＩＤ）、第１カメラ１０及び第２カメラ１０Ｓの各識別情報（例えばカメラＩＤ）等を予め設定しておき、バックエンドサーバに蓄積された映像データについて、いつ、どの警察官がどのウェアラブルカメラを用いて撮像した映像であるかを明確に区別できる。
【００２８】
図２は、警察官ＯＦが本実施形態の第１カメラ１０及び第２カメラ１０Ｓの両方を装着した状態の一例を示す図である。警察官ＯＦは、例えば制服の胸部の中心付近にクリップ又はケースを介して第１カメラ１０を固定して装着し、又はポケットに入れて第１カメラ１０を装着する。また、警察官ＯＦは、ケーブルＣＢを介して第１カメラ１０と第２カメラ１０Ｓを接続し、例えば警察官ＯＦの左耳上付近にクリップを介して第２カメラ１０Ｓを固定して装着する。
【００２９】
図２に示す例では、第２カメラ１０Ｓは、第１カメラ１０の撮像領域のより高い位置を撮像可能である。また、第２カメラ１０Ｓは、第１カメラ１０が警察官ＯＦの正面方向（図２の紙面左下方向）を撮像するのに対し、警察官ＯＦの後面方向（図２の紙面右上方向）を撮像してもよい。従って、図２では警察官ＯＦが第１カメラ１０及び第２カメラ１０Ｓを装着している様子の一例として説明しているが、警察官ＯＦが第１カメラ１０及び第２カメラ１０Ｓをどのように装着するかについては特に限定されない。
【００３０】
図２に示すように、第１カメラ１０は、ユーザである警察官ＯＦの胸部等、ユーザの視点に近い位置からの視野の映像を撮像するように、ユーザが着用した衣服又は身体に装着して使用される。警察官ＯＦは、第１カメラ１０及び第２カメラ１０Ｓを装着した状態で、録画スイッチＳＷ１又は録画スイッチＳＷ１ｓを操作して周囲の被写体の撮像を行う。上述したように、第２カメラ１０Ｓの撮像範囲は、第１カメラ１０の撮像範囲に比べてより高い位置を含めることができ、警察官ＯＦは、現場の状況を的確かつ広範に撮像できるように、第１カメラ１０又は第２カメラ１０Ｓに切り替え、又はその両方を用いて撮像可能である。
【００３１】
図３は、本実施形態の第１カメラ１０及び第２カメラ１０Ｓの外観の一例を示す図である。図３では、第１カメラ１０は正面視の様子が示され、第２カメラ１０Ｓは斜視の様子が示されている。図３に示す第１カメラ１０は、略直方体状の筐体の正面に、撮像部１１（図６参照）の撮像用のレンズ１１ａ、録画スイッチＳＷ１、スナップショットスイッチＳＷ２が設けられる。録画スイッチＳＷ１は、例えば一定時間（例えば１秒程度）押下されることで録画（動画の撮像）が開始され、別の一定時間（例えば３秒程度）押下されることで録画が終了する。スナップショットスイッチＳＷ２は、押下される度に、そのときの静止画の撮像が実行される。
【００３２】
図３に示す第２カメラ１０Ｓは、略円筒形状の筐体の前面側（図３に示す第１カメラ１０に向かう側）に撮像用のレンズ１１ｓ１、同筐体の前方（図３の紙面左下方向）にマイク１１ｓ６を露出させるマイク穴ＭＣｈ、同筐体の後方（図３の紙面右上方向）に録画スイッチＳＷ１ｓが設けられる。
【００３３】
図４は、本実施形態の第１カメラ１０の外観の一例を示す左側面図である。図４に示すように、第１カメラ１０の筐体の正面から見て左側面には、属性情報付与スイッチＳＷ３、属性選択スイッチＳＷ４、ＵＳＢコネクタ２２ａが設けられる。警察官ＯＦが属性情報付与スイッチＳＷ３を押下操作することにより、第１カメラ１０の撮像及び録画により得られた映像データ（以下、「第１映像データ」という）、第２カメラ１０Ｓが撮像して第１カメラ１０が記憶（録画）した映像データ（以下、「第２映像データ」という）又は、第１映像データ及び第２映像データを組み合わせた映像データに対して、属性選択スイッチＳＷ４の選択状態に応じた属性情報が付与される。属性選択スイッチＳＷ４は、図示例ではＣ１、Ｃ２、Ｃ３の３段階の接点位置を有するスライドスイッチであり、Ｃ１〜Ｃ３にそれぞれ割り付け設定された属性情報を警察官ＯＦが選択して指定する。ＵＳＢコネクタ２２ａには、ＵＳＢ（Universal Serial Bus）に対応したケーブルを介して外部機器（例えば、第１カメラ１０と車載システム６０又は警察署内のＰＣ）とを接続してデータの送受信が可能となっている。
【００３４】
図５は、本実施形態の第１カメラ１０の外観の一例を示す右側面図である。図５に示すように、第１カメラ１０の筐体の正面から見て右側面には、通信モードスイッチＳＷ５、インジケータスイッチＳＷ６が設けられる。通信モードスイッチＳＷ５は、図示例ではＡＰ、ＳＴＡ１、ＳＴＡ２、ＯＦＦの４段階の接点位置を有するスライドスイッチであり、第１カメラ１０の通信モードを警察官ＯＦが選択して指定する。ＡＰはアクセスポイントモードであり、ウェアラブルカメラである第１カメラ１０が無線ＬＡＮ（Local Area Network）のアクセスポイントとして動作し、携帯端末５０と無線接続して、第１カメラ１０と携帯端末５０との間で通信を行うモードである。アクセスポイントモードにおいて、携帯端末５０は、第１カメラ１０と接続することにより、第１カメラ１０による現在のライブ映像の表示、録画された映像データの再生、属性情報の付与、撮像された静止画の表示等を行うことができる。ＳＴＡ１，ＳＴＡ２はステーションモードであり、無線ＬＡＮにより外部機器と接続する場合に、外部機器をアクセスポイントとして通信を行うモードである。ＳＴＡ１は警察署内のアクセスポイントと接続するモード、ＳＴＡ２は車載システム６０と接続するモードである。ステーションモードにおいて、第１カメラ１０の設定、第１カメラ１０における映像データの転送（アップロード）等を行える。ＯＦＦは無線ＬＡＮの通信動作をオフし、無線ＬＡＮを未使用とするモードである。
【００３５】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、第１カメラ１０の報知モードを警察官ＯＦが選択して指定する。ＬＥＤは、ＬＥＤ２６ａ〜２６ｃによって第１カメラ１０の録画中等の動作状態を表示するモードである。Ｖｉｂｒａｔｉｏｎは、バイブレータ２７の振動によって第１カメラ１０の動作状態を報知するモードである。ＬＥＤ＆Ｖｉｂｒａｔｉｏｎは、ＬＥＤ２６ａ〜２６ｃの表示とバイブレータ２７の振動によって第１カメラ１０の動作状態を報知するモードである。ＯＦＦは動作状態の報知動作をオフするモードである。
【００３６】
ＬＥＤ２６ａ〜２６ｃは、図示しないが、第１カメラ１０の筐体の正面から見て上面に配置されている。これにより、ユーザが第１カメラ１０を装着した状態でＬＥＤを容易に視認でき、また、ユーザ本人以外からはＬＥＤが見えないようになっている。また、図示しないが、第１カメラ１０の筐体の正面から見て下面には、コンタクトターミナル２３が設けられる。
【００３７】
図６は、本実施形態の第１カメラ１０の内部構成の一例を示すブロック図である。図６に示す第１カメラ１０は、撮像部１１と、ＧＰＩＯ１２（General Purpose Input/Output）と、ＲＡＭ１３と、ＲＯＭ１４と、記憶部１５と、ＥＥＰＲＯＭ（Electrically Erasable Programmable Read-Only Memory）１６と、ＲＴＣ（Real Time Clock）１７と、ＧＰＳ（Global Positioning System）１８と、ＭＣＵ（Micro Controller Unit）１９と、通信部２１と、ＵＳＢ（Universal Serial Bus）２２と、コンタクトターミナル２３と、電源部２４と、バッテリ２５とを含む構成である。また、第１カメラ１０は、入力部の一例として、録画スイッチＳＷ１とスナップショットスイッチＳＷ２と属性情報付与スイッチＳＷ３と属性選択スイッチＳＷ４と通信モードスイッチＳＷ５とインジケータスイッチＳＷ６とを含む構成である。また、第１カメラ１０は、状態表示部の一例として、３つのＬＥＤ（Light Emitting Diode）２６ａ，２６ｂ，２６ｃとバイブレータ２７とを含む構成である。
【００３８】
撮像部１１は、撮像用のレンズ１１ａと、ＣＣＤ（Charge Coupled Device）型イメージセンサ又はＣＭＯＳ（Complementary Metal Oxide Semiconductor）型イメージセンサ等による固体撮像素子とを有し、撮像により得られた被写体の映像データをＭＣＵ１９に出力する。
【００３９】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間の信号の入出力を行う。
【００４０】
ＲＡＭ１３は、ＭＣＵ１９の動作において使用されるワークメモリである。
【００４１】
ＲＯＭ１４は、ＭＣＵ１９を制御するためのプログラム及びデータを予め記憶するメモリである。
【００４２】
記憶部１５は、例えばＳＤメモリ等の記憶媒体により構成され、撮像部１１にて撮像して得られた映像データ（第１映像データ）、又は第２カメラ１０Ｓから転送された第２映像データを記憶する。記憶部１５としてＳＤメモリを用いる場合、第１カメラ１０の筐体本体に対して取付け及び取外しが可能である。
【００４３】
ＥＥＰＲＯＭ１６は、第１カメラ１０を識別する識別情報（例えばシリアル番号により示されるカメラＩＤ）、及び初期設定により入力された他の設定情報（例えば属性選択スイッチＳＷ４とＣ１，Ｃ２，Ｃ３に対応する各属性情報との割り付け情報）を記憶する。
【００４４】
ＲＴＣ１７は、現在の時刻情報をカウントしてＭＣＵ１９に出力する。
【００４５】
ＧＰＳ１８は、現在の第１カメラ１０の位置情報をＧＰＳ発信機（不図示）から受信してＭＣＵ１９に出力する。
【００４６】
ＭＣＵ１９は、制御部としての機能を有し、第１カメラ１０の各部の動作を全体的に統括するための制御処理、他の各部との間のデータの入出力処理、データの演算（計算）処理及びデータの記憶処理を行い、ＲＯＭ１４に記憶されたプログラム及びデータに従って動作する。ＭＣＵ１９は、動作時には、ＲＡＭ１３を使用し、ＲＴＣ１７より現在の時刻情報、ＧＰＳ１８より現在の位置情報をそれぞれ得る。
【００４７】
通信部２１は、例えばＯＳＩ（Open Systems Interconnection）参照モデルの第１層である物理層において、通信部２１とＭＣＵ１９との接続を規定し、その規定に従って、例えば無線ＬＡＮ（Ｗ−ＬＡＮ）による無線通信（例えばＷｉｆｉ（登録商標））を行う。通信部２１は、Ｂｌｕｅｔｏｏｔｈ（登録商標）等の無線通信を行うものを用いてもよい。
【００４８】
ＵＳＢ２２は、シリアルバスであり、第１カメラ１０と車載システム６０、或いは警察署内のＰＣ等との接続を可能とする。
【００４９】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、第１カメラ１０の充電、及び映像データを含むデータの通信が可能となっている。コンタクトターミナル２３は、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧変化を検出するための端子である。データ端子Ｄ−，Ｄ＋は、例えばＵＳＢコネクタ端子を介して、外部ＰＣ等に対してウェアラブルカメラである第１カメラ１０で撮像した映像データ等を転送するための端子である。コンタクトターミナル２３とクレードル（不図示）又は外付けアダプタ（不図示）のコネクタとが接続されることにより、第１カメラ１０と外部機器との間でデータ通信が可能となる。
【００５０】
電源部２４は、コンタクトターミナル２３を介してクレードル又は外付けアダプタより供給される電源電力をバッテリ２５に給電してバッテリ２５を充電する。バッテリ２５は、充電可能な２次電池により構成され、ウェアラブルカメラである第１カメラ１０の各部に電源電力を供給する。
【００５１】
録画スイッチＳＷ１は、警察官ＯＦの押下操作による録画（動画の撮像）の開始／停止の操作指示を入力する押しボタンスイッチである。
【００５２】
スナップショットスイッチＳＷ２は、警察官ＯＦの押下操作による静止画の撮像の操作指示を入力する押しボタンスイッチである。
【００５３】
属性情報付与スイッチＳＷ３は、警察官ＯＦの押下操作による、映像データに属性情報を付与するための操作指示を入力する押しボタンスイッチである。
【００５４】
属性選択スイッチＳＷ４は、映像データに付与する属性を選択するための操作指示を入力するスライドスイッチである。
【００５５】
通信モードスイッチＳＷ５は、第１カメラ１０と外部機器との間の通信モードを設定するための操作指示を入力するスライドスイッチである。
【００５６】
インジケータスイッチＳＷ６は、ＬＥＤ２６ａ〜２６ｃ及びバイブレータ２７による動作状態表示モードを設定するための操作指示を入力するスライドスイッチである。録画スイッチＳＷ１、スナップショットスイッチＳＷ２、属性情報付与スイッチＳＷ３、属性選択スイッチＳＷ４は、警察官ＯＦの緊急時の出動においても容易に操作が可能に構成される。なお、録画スイッチＳＷ１，スナップショットスイッチＳＷ２，属性情報付与スイッチＳＷ３，属性選択スイッチＳＷ４，通信モードスイッチＳＷ５，インジケータスイッチＳＷ６は、上記の形態に限定されず、警察官ＯＦによる操作指示の入力が可能な他の形態の操作入力デバイスであってもよい。
【００５７】
ＬＥＤ２６ａは、第１カメラ１０の電源投入状態（オンオフ状態）及びバッテリ２５の状態を示す。
【００５８】
ＬＥＤ２６ｂは、第１カメラ１０の撮像動作の状態（録画状態）を示す。
【００５９】
ＬＥＤ２６ｃは、第１カメラ１０の通信モードの状態を示す。
【００６０】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの押下検出を行い、操作があったスイッチ押下に対する処理を行う。例えば録画スイッチＳＷ１の押下操作を検出した場合、ＭＣＵ１９は、撮像部１１における撮像動作の開始又は停止を制御し、撮像部１１から得られた撮像データを動画像の映像データとして記憶部１５に保存する。また、例えばスナップショットスイッチＳＷ２の押下操作を検出した場合、ＭＣＵ１９は、スナップショットスイッチＳＷ２が操作されたときの撮像部１１による撮像データを静止画の映像データとして記憶部１５に保存する。
【００６１】
また、ＭＣＵ１９は、例えば属性情報付与スイッチＳＷ３の操作入力を検出した場合、予め設定された属性情報を映像データに付与し、映像データと対応付けて記憶部１５に保存する。この際、属性選択スイッチＳＷ４の選択状態といずれかの属性情報との対応関係を示す対応情報をＥＥＰＲＯＭ１６に保持しておき、ＭＣＵ１９は、属性選択スイッチＳＷ４の選択状態を検出し、属性選択スイッチＳＷ４の選択状態に応じた属性情報を付与する。また、ＭＣＵ１９は、通信モードスイッチＳＷ５の状態を検出し、通信モードスイッチＳＷ５の設定に応じた通信モードによって通信部２１を動作させる。また、ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００６２】
図７は、本実施形態の第２カメラ１０Ｓの内部構成の一例を示すブロック図である。図７に示す第２カメラ１０Ｓは、撮像用のレンズ１１ｓ１と、イメージセンサ１１ｓ２と、信号処理部１１ｓ３と、伝送部１１ｓ４と、通信Ｉ／Ｆ部１１ｓ５と、マイク１１ｓ６と、録画スイッチＳＷ１ｓとを含む構成である。
【００６３】
レンズ１１ｓ１は、第２カメラ１０Ｓの外部から入射する環境光を集光し、イメージセンサ１１ｓ２の撮像面に結像させる。
【００６４】
イメージセンサ１１ｓ２は、例えばＣＣＤ又はＣＭＯＳの固体撮像素子を用いて構成され、撮像面に結像した光学像を電気信号に変換する。イメージセンサ１１ｓ２の出力は、信号処理部１１ｓ３に入力される。
【００６５】
信号処理部１１ｓ３は、イメージセンサ１１ｓ２の出力を用いて、人が認識可能なＲＧＢ（Red Green Blue）形式の画像データ又はＹＵＶ（輝度（Ｙ）・色差（Ｕ、Ｖ））により規定される画像データのフレームを生成し、生成したフレームを伝送部１１ｓ４に出力する。
【００６６】
伝送部１１ｓ４は、信号処理部１１ｓ３により生成された画像データのフレームを用いて、画像データの保存及び送信が可能なデータフォーマットに変換するための符号化データを生成して通信Ｉ／Ｆ部１１ｓ５に出力する。
【００６７】
通信Ｉ／Ｆ部１１ｓ５は、伝送部１１ｓ４からの出力（つまり、画像データのフレーム）、マイク１１ｓ６からの出力（つまり、音声データ）、又は録画スイッチＳＷ１ｓからの出力（つまり、録画の開始／停止の操作に関する信号）を、ケーブルＣＢを介して第１カメラ１０に出力（転送）する。
【００６８】
マイク１１ｓ６は、第２カメラ１０Ｓの周囲の音声（例えば警察官ＯＦが急行した現場の音声）を収音し、収音により得られた音声の音声データを通信Ｉ／Ｆ部１１ｓ５に出力する。
【００６９】
録画スイッチＳＷ１ｓは、警察官ＯＦの押下操作による録画（動画の撮像）の開始／停止の操作指示を入力する押しボタンスイッチである。録画スイッチＳＷ１ｓにおいて検出された操作に関する信号は、通信Ｉ／Ｆ部１１ｓ５に入力される。録画スイッチＳＷ１ｓにおける録画の開始／停止の操作は、第１カメラ１０の録画スイッチＳＷ１における録画の開始／停止の操作と同様である。
【００７０】
次に、本実施形態の第１カメラ１０における映像データへの属性情報の付与について説明する。ウェアラブルカメラシステム１００において、第１カメラ１０が、第２カメラ１０Ｓから第１カメラ１０に切り替えられて撮像された第１映像データ、第１カメラ１０から第２カメラ１０Ｓに切り替えられて撮像された第２映像データ、又は、第１カメラ１０及び第２カメラ１０Ｓの両方が撮像した第１映像データ及び第２映像データを、バックエンドサーバＳＶ１〜ＳＶ３へ転送して蓄積した映像データを利用する場合を想定する。
【００７１】
この場合、蓄積した映像データの中から、映像内容の種別、撮像したユーザ、日時、場所等、映像データに関連する何らかの属性情報を基にして対象の映像データを抽出し、再生することになる。映像データに属性情報が存在しないと、何を撮像した映像であるかの判別が困難であり、目的の映像データを抽出できないため、多くの映像データを蓄積する場合には属性情報を付与することが必要になる。
【００７２】
本実施形態では、属性情報として映像内容の種別を示す分類情報（Classify）を付与し、映像データを各種別に振り分け可能にする。なお、属性情報としては分類情報に限定されず、録画した映像データに関するあらゆる情報が含まれる。また、属性情報としての分類情報は、階層構造とし、又は分類を異なる複数の系統によってカテゴリ分けしてもよい。
【００７３】
警察官ＯＦが第１カメラ１０、第２カメラ１０Ｓ、又は第１カメラ１０及び第２カメラ１０Ｓにより撮像した現場から離れて、後で警察署内のＰＣ等で属性情報を付与する場合には、警察官ＯＦが映像データを再生しながら種別を判断して属性情報を付与することになるため、時間及び手間がかかる。また、属性情報が未付与の映像データが溜まると、個々の映像データの確認に手間がかかり、種別の判断及び属性情報の付与に多くの労力を要する。そこで、本実施形態では、第１カメラ１０において、録画した直後、又は録画している間に属性情報を容易に付与できる構成例を示す。
【００７４】
図８は、属性選択スイッチＳＷ４と属性情報との関係の一例を示す図である。第１カメラ１０を使用する場合、図８に示すように、属性選択スイッチＳＷ４の状態（接点位置）Ｃ１〜Ｃ３にそれぞれ対応して、属性情報を割り付けて設定しておく。図示例は、警察官ＯＦが事件現場の様子を撮像する場合を想定し、Ｃ１に交通事故、Ｃ２に飲酒運転、Ｃ３に速度超過がそれぞれ割り付けられている。属性情報の割り付けは、複数定義された属性情報の中から、警察官ＯＦにとって使用頻度の高い属性情報が選択的に設定される。図８に示すテーブルの内容（つまり、属性選択スイッチＳＷ４と属性情報との関係を規定する情報）は、第１カメラ１０のＥＥＰＲＯＭ１６に設定情報の一つとして記憶される。
【００７５】
図９は、録画データのデータ構造の一例を示す図である。図１０は、録画映像リストの第１例を示す図である。本実施形態の第１カメラ１０では、録画された映像データを記憶部１５に記憶する場合、図９に示すように、撮像した映像データとともに、この映像データに関連する属性情報を含むメタ情報を生成し、両者のデータを関連付けた録画データとして、記憶部１５に記憶する。即ち、記憶部１５に記憶された録画データには、映像データとメタ情報とが含まれる。
【００７６】
第１カメラ１０は、バックエンドサーバＳＶ１〜ＳＶ３に映像データを転送する場合、映像データとメタ情報とを含む録画データを転送して蓄積する。図９に示す録画データは、第１カメラ１０から第２カメラ１０Ｓに切り替えられた場合には第２カメラ１０Ｓにより撮像された第２映像データであり、第２カメラ１０Ｓから第１カメラ１０に切り替えられた場合には第１カメラ１０により撮像された第１映像データであり、第１カメラ１０或いは第２カメラ１０Ｓの一方が先に撮像していた場合に後から他方を追加して撮像した場合には第１カメラ１０，第２カメラ１０Ｓにより撮像された第１映像データ，第２映像データの両方が含まれる。
【００７７】
映像データに関連するメタ情報は、例えば図１０に示す録画映像リストとして記憶される。録画映像リストのメタ情報は、イベントＩＤ、時間情報、カメラＩＤ、ユーザＩＤ、録画カメラ情報、属性情報、ＧＰＳ情報が含まれる。イベントＩＤは、録画対象となるイベントを識別するための識別情報である。
【００７８】
本実施形態では、第１カメラ１０は、録画開始から録画終了までの１つの録画動作を１つのイベントとして規定し、個々の録画動作のイベント（以下、録画イベントとも称する）についてイベントＩＤを付与する。イベントＩＤとしては、映像データのファイル名等を用いてもよい。時間情報は、個々の録画イベントの時間情報であり、例えば録画開始時刻を付与する。時間情報としては、録画開始時刻だけでなく、録画開始時刻と録画終了時刻、録画開始時刻と録画継続時間、録画中に属性情報が付与された時間、撮像に使用されるウェアラブルカメラが切り替えられた時間、撮像に使用されるウェアラブルカメラが追加された時間等を用いてもよい。
【００７９】
カメラＩＤは、個々の第１カメラ１０、第２カメラ１０Ｓを識別するための識別情報である。ユーザＩＤは、第１カメラ１０、第２カメラ１０Ｓ、又はその両方を用いる警察官ＯＦの識別情報である。第１カメラ１０、第２カメラ１０Ｓ、又はその両方を用いる際に、録画された映像データについて、どの個体のカメラを誰が使用して録画したものであるかを判別できるように、カメラＩＤとユーザＩＤとが設定される。
【００８０】
録画カメラ情報は、イベントＩＤ毎に、第１カメラ１０、第２カメラ１０ＳがユーザＩＤにより示される警察官によってどのように使用されて撮像されたかを示す情報である。
【００８１】
具体的には、イベントＩＤが「Event001」では、録画カメラ情報は、先ず第２カメラ１０Ｓにより撮像されていたが、同じ録画イベントの途中で第１カメラ１０に切り替えて使用されたことを示す情報である（第２→第１参照）。従って、イベントＩＤが「Event001」では、カメラＩＤは、第１カメラ１０を示す「BWC0001」となる。
【００８２】
また、イベントＩＤが「Event002」では、録画カメラ情報は、先ず第１カメラ１０により撮像されていたが、同じ録画イベントの途中で第２カメラ１０Ｓに切り替えて使用されたことを示す情報である（第１→第２参照）。この場合には、イベントＩＤが「Event001」では、カメラＩＤは、第２カメラ１０Ｓを示す「BWC0002」となる。
【００８３】
更に、イベントＩＤが「Event003」では、録画カメラ情報は、終始第１カメラ１０により撮像されていたことを示す情報である（第１のみ参照）。この場合には、カメラＩＤは、第１カメラ１０を示す「BWC0001」となる。
【００８４】
更に、イベントＩＤが「Event004」では、録画カメラ情報は、先ず第１カメラ１０により撮像されていたが、同じ録画イベントの途中で第１カメラ１０から第２カメラ１０Ｓに切り替えて使用されたことを示す情報である（第１カメラ／第２カメラ参照）。また、イベントＩＤが「Event004」では、「2014年12月2日22時00分10秒」に、第１カメラ１０により撮像された第１映像データに属性情報「速度超過」が付与され、更に、「2014年12月2日22時10分50秒」に、第２カメラ１０Ｓにより撮像された第２映像データに属性情報「飲酒運転」が付与されている。従って、イベントＩＤが「Event004」では、カメラＩＤは、切替前に使用された第１カメラ１０を示す「BWC0001」と、切替後に使用された第２カメラ１０Ｓを示す「BWC0002」との両方が規定される。
【００８５】
なお、第１カメラ１０から第２カメラ１０Ｓに切り替わる場合或いはその逆の場合でも、第１カメラ１０は、第１カメラ１０が撮像した第１映像データ或いは第２カメラ１０Ｓが撮像した第２映像データにそれぞれ異なる属性情報を付与することも可能である。
【００８６】
属性情報は、映像データの種別を識別するための分類情報であり、図８に示す属性選択スイッチＳＷ４の選択状態と属性情報との関係を示す情報に基づき、警察官ＯＦによる属性情報付与スイッチＳＷ３及び属性選択スイッチＳＷ４の操作に従って付与される。ＧＰＳ情報は、映像データの録画が行われた場所を示す位置情報であり、例えば録画開始時の現在位置情報をＧＰＳ１８から取得してＭＣＵ１９により付与される。上記の各メタ情報は、例えば録画開始時、録画中又は録画終了の直後に、ＭＣＵ１９の処理によって付与され、映像データと関連付けて記憶部１５に記憶される。
【００８７】
次に、本実施形態のウェアラブルカメラシステム１００において１ｃｈ録画（つまり、第１カメラ１０又は第２カメラ１０Ｓを用いた録画）に用いるウェアラブルカメラの切替、及び切替後に用いたウェアラブルカメラにより録画した１個の録画データに１個の属性情報を付与する動作について、図１１を参照して説明する。図１１は、本実施形態のウェアラブルカメラシステムにおいて１ｃｈ録画に用いるウェアラブルカメラの切替、及び切替後に用いたウェアラブルカメラにより録画した１個の録画データに１個の属性情報を付与する動作手順の一例を説明するフローチャートである。
【００８８】
図１１において、第１カメラ１０のＭＣＵ１９は、ステップＳ１２に示す録画動作に先立って、第１カメラ１０の初期設定を実行する（Ｓ１１）。第１カメラ１０の初期設定は、例えば警察官ＯＦが出動する際に、警察署内のＰＣに接続し、ＰＣを操作して各種の設定情報（例えばカメラＩＤ、ユーザＩＤ）を転送することによって行う。初期設定として、ＭＣＵ１９は、カメラＩＤ及びユーザＩＤの付与（図１０参照）、属性情報付与スイッチＳＷ３と属性選択スイッチＳＷ４の有効化、属性選択スイッチＳＷ４の選択状態に対応する複数の属性情報の割り付け（図８参照）を実行する。
【００８９】
ＭＣＵ１９は、警察官ＯＦの一定時間（例えば１秒程度）の録画スイッチＳＷ１の押下操作を検出すると、撮像部１１により撮像された画像（映像）の録画動作を開始し、撮像部１１により撮像された動画の映像データを記憶部１５に記憶する（Ｓ１２）。
【００９０】
ここで、第１カメラ１０の録画が継続されない場合には（Ｓ１３、ＮＯ）、第１カメラ１０の処理は終了する。
【００９１】
一方、第１カメラ１０の録画が継続される場合であって（Ｓ１３、ＹＥＳ）、警察官ＯＦが撮像領域（例えば現場）の状況を撮像するためのウェアラブルカメラを第１カメラ１０から第２カメラ１０Ｓに切り替えた場合には（Ｓ１４、ＹＥＳ）、第２カメラ１０Ｓは、撮像を開始する。第２カメラ１０Ｓにより撮像された動画の映像データは、第２カメラ１０Ｓによる撮像が継続される間、都度ケーブルＣＢを介して第１カメラ１０に転送される。
【００９２】
撮像領域（例えば現場）の状況を撮像するためのウェアラブルカメラを第１カメラ１０から第２カメラ１０Ｓに切り替えるためには、例えば警察官ＯＦが録画中の第１カメラ１０を、ケーブルＣＢを介して第２カメラ１０Ｓに接続すればよい。他には、第１カメラ１０と第２カメラ１０ＳとがケーブルＣＢを介して既に接続されている場合に、第１カメラ１０に対する操作は何もなく、第２カメラ１０Ｓの録画スイッチＳＷ１ｓが一定時間（例えば１秒程度）継続的に押下されてもよい。いずれにしても、本実施形態では、上述した簡易な操作により、撮像領域（例えば現場）の状況を撮像するためのウェアラブルカメラを第１カメラ１０から第２カメラ１０Ｓに切り替えることが可能である。
【００９３】
一方、警察官ＯＦが撮像領域（例えば現場）の状況を撮像するためのウェアラブルカメラを第１カメラ１０から第２カメラ１０Ｓに切り替えていない場合には（Ｓ１４、ＮＯ）、第１カメラ１０の録画が継続し、第１カメラ１０の処理はステップＳ１３に戻る。なお、ステップＳ１２では第１カメラ１０が先に録画に使用され、ステップＳ１４において切替後の録画に使用されるウェアラブルカメラが第２カメラ１０Ｓであるとして説明しているが、その逆でもよく、以下同様である。つまり、ステップＳ１２では第２カメラ１０Ｓが先に録画に使用され、ステップＳ１４において切替後の録画に使用されるウェアラブルカメラが第１カメラ１０でもよい。
【００９４】
第２カメラ１０Ｓの録画が開始した後、ＭＣＵ１９は、第１カメラ１０の属性選択スイッチＳＷ４の選択状態を検出し（Ｓ１５）、属性情報付与スイッチＳＷ３の入力の有無を判定する（Ｓ１５）。
【００９５】
属性情報付与スイッチＳＷ３からの入力があった場合には（Ｓ１６、ＹＥＳ）、ＭＣＵ１９は、属性選択スイッチＳＷ４の選択状態に対応する属性情報をＥＥＰＲＯＭ１６から読み込み、第２カメラ１０Ｓが撮像した第２映像データに対して付与する（Ｓ１７）。ＭＣＵ１９は、付与した属性情報を含むメタ情報を記憶部１５に出力し、直前に録画動作を終了して記憶した映像データと関連付けて記憶する（Ｓ１８）。なお、本実施形態では、第２カメラ１０Ｓが撮像している間に、第１カメラ１０に対する警察官ＯＦの操作により、第２カメラ１０Ｓが撮像している第２映像データに対して属性情報が付与されてもよいし、第２カメラ１０Ｓの撮像が終了した後に、第２映像データに対して属性情報が付与されてもよく、以下同様である。
【００９６】
メタ情報には、イベントＩＤ、時間情報（例えばウェアラブルカメラの切替を行った時間で第２カメラ１０Ｓによる撮像が開始された時間）、カメラＩＤ、ユーザＩＤ、録画カメラ情報（例えば１ｃｈ録画に用いたウェアラブルカメラ情報）、属性情報、ＧＰＳ情報が含まれる（図１０参照）。これにより、本実施形態のウェアラブルカメラシステム１００の動作は終了する。
【００９７】
また、上記の例では、予め属性選択スイッチＳＷ４に割り付けた属性情報の中から、属性選択スイッチＳＷ４の状態に対応する属性情報を付与するようにしたが、例えば、音声認識機能を用いて、ユーザが発した音声に対応する属性情報を付与することも可能である。
【００９８】
このように、本実施形態のウェアラブルカメラシステム１００では、ユーザ（例えば警察官ＯＦ）が装着可能な第１カメラ１０及び第２カメラ１０Ｓが用いられ、第１カメラ１０は、第１カメラ１０が撮像した第１映像データを記憶部１５に記憶する。第２カメラ１０Ｓは、第１カメラ１０から第２カメラ１０Ｓに切り替えて撮像された場合に、第２カメラ１０Ｓが撮像した第２映像データを第１カメラ１０に送信する。第１カメラ１０は、第１カメラ１０から第２カメラ１０Ｓに切り替えて撮像された場合に、第２カメラ１０Ｓから送信された第２映像データを受信し、第２映像データに関する属性情報の付与操作を受け付けると、付与操作に応じて、属性情報を第２映像データに付与して記憶部１５に記憶し、第１カメラが撮像した第１映像データを記憶部から削除する。
【００９９】
これにより、ウェアラブルカメラシステム１００は、ユーザ（例えば警察官ＯＦ）が緊急時に急行した現場の状況を的確かつ広範に撮像するために、第１カメラ１０から第２カメラ１０Ｓに切り替えて撮像した場合には、切替によって不要となった第１映像データを削除し、切替後に使用される第２カメラ１０Ｓが撮像した第２映像データに対し、第１カメラ１０単体に対する簡易な操作により、第２映像データがどのような種類の映像であるかを示す属性情報を付与できる。従って、ウェアラブルカメラシステム１００は、ユーザ（例えば警察官ＯＦ）における現場の状況の的確かつ広範な撮像を支援でき、更に、撮像した映像データ（第２映像データ）を取り扱う上での利便性を向上させることができる。
【０１００】
また、本実施形態のウェアラブルカメラシステム１００では、第２カメラ１０Ｓは、第２カメラ１０Ｓから第１カメラ１０に切り替えて撮像された場合に、第１カメラ１０に切り替えられるまでに撮像した第２映像データを第１カメラ１０に送信する。第１カメラ１０は、第２カメラ１０Ｓから第１カメラ１０に切り替えて撮像された場合に、第２カメラ１０Ｓから送信された第２映像データを受信し、第２カメラ１０Ｓから送信された第２映像データを破棄し、第１映像データに関する属性情報の付与操作を受け付けると、付与操作に応じて、属性情報を第１映像データに付与して記憶部１５に記憶する。
【０１０１】
これにより、ウェアラブルカメラシステム１００は、ユーザ（例えば警察官ＯＦ）が緊急時に急行した現場の状況を的確かつ広範に撮像するために、第２カメラ１０Ｓから第１カメラ１０に切り替えて撮像した場合には、切替によって不要となった第２映像データを破棄し、切替後に使用される第１カメラ１０が撮像した第１映像データに対し、第１カメラ１０単体に対する簡易な操作により、第１映像データがどのような種類の映像であるかを示す属性情報を付与できる。従って、ウェアラブルカメラシステム１００は、ユーザ（例えば警察官ＯＦ）における現場の状況の的確かつ広範な撮像を支援でき、更に、撮像した映像データ（第１映像データ）を取扱う上での利便性を向上させることができる。
【０１０２】
このため、ユーザ（例えば警察官ＯＦ）は、緊急時の撮像現場であっても、第１カメラ１０と第２カメラ１０Ｓとを適宜切り替えて撮像することにより、切替後の撮像に使用された第１カメラ１０が撮像した第１映像データ又は第２カメラ１０Ｓが撮像した第２映像データの属性情報を確実に付与できる。また、切替前に撮像された第１映像データ又は第２映像データは第１カメラ１０において削除又は破棄されるので、第１カメラ１０の記憶容量の増大を回避できる。更に、警察署のバックエンドシステムに配置されたサーバに蓄積した映像データを利用する場合には、ユーザ（例えばバックエンドシステムの利用者）は、映像データに対して付与された属性情報を参照することにより、どの種別の映像データであるかを容易に判別して抽出でき、更に、属性情報を含むメタ情報によって、いつ、どこで、どのカメラで誰が撮像した、どのような内容の映像であるかを容易に識別できる。
【０１０３】
なお、本実施形態では、撮像領域（例えば現場）の撮像に用いるウェアラブルカメラを第１カメラ１０又は第２カメラ１０Ｓのうち一方から他方に切り替えてもよいし、予め一方のウェアラブルカメラ（例えば第１カメラ１０）により撮像されている状態で、後から追加して他方のウェアラブルカメラ（例えば第２カメラ１０Ｓ）により撮像されてもよい（図１２、図１３参照）。図１２は、録画映像リストの第２例を示す図である。図１２の説明では、図１０の説明と重複する内容の説明を省略し、異なる内容について説明する。図１２に示す録画映像リストでは、図１０に示す録画映像リストと異なる箇所は、録画カメラ情報である。
【０１０４】
具体的には、イベントＩＤが「Event001」及び「Event003」では、録画カメラ情報は、終始第１カメラ１０により撮像されていたことを示す情報である（第１のみ参照）。この場合には、カメラＩＤは、第１カメラ１０を示す「BWC0001」となる。
【０１０５】
また、イベントＩＤが「Event002」では、録画カメラ情報は、先ず第１カメラ１０により撮像されていたが、途中で第２カメラ１０Ｓが追加されて撮像に使用されたことを示す情報である（第１カメラ＋第２カメラ参照）。この場合には、イベントＩＤが「Event002」では、カメラＩＤは、第１カメラ１０及び第２カメラ１０Ｓを示す「BWC0001+BWC0002」となる。
【０１０６】
また、イベントＩＤが「Event004」では、録画カメラ情報は、先ず第１カメラ１０により撮像されていたが、同じ録画イベントの途中で第２カメラ１０Ｓが追加されて撮像に使用されたことを示す情報である（第１カメラ／第１カメラ＋第２カメラ参照）。また、イベントＩＤが「Event004」では、「2014年12月2日22時00分10秒」に、第１カメラ１０により撮像された第１映像データに属性情報「速度超過」が付与され、更に、「2014年12月2日22時10分50秒」に、第１カメラ１０により撮像された第１映像データと第２カメラ１０Ｓにより撮像された第２映像データとに属性情報「飲酒運転」が付与されている。従って、イベントＩＤが「Event004」では、カメラＩＤは、追加前に使用された第１カメラ１０を示す「BWC0001」と、追加後に使用された第１カメラ１０を示す「BWC0001」及び第２カメラ１０Ｓを示す「BWC0002」との組み合わせを示す「BWC0001+BWC0002」の両方が規定される。
【０１０７】
なお、第１カメラ１０が先に撮像して後から第２カメラ１０Ｓが追加される場合或いはその逆の場合でも、第１カメラ１０は、第１カメラ１０が撮像した第１映像データ及び第２カメラ１０Ｓが撮像した第２映像データにそれぞれ異なる属性情報を付与することも可能である。
【０１０８】
次に、本実施形態のウェアラブルカメラシステム１００において同時２ｃｈ録画（つまり、第１カメラ１０及び第２カメラ１０Ｓを用いた録画）に用いるウェアラブルカメラの切替、及び同時２ｃｈ録画した２個の録画データに対して共通の属性情報を付与する動作について、図１３を参照して説明する。図１３は、本実施形態のウェアラブルカメラシステム１００において同時２ｃｈ録画への切替、及び同時２ｃｈ録画に用いた各ウェアラブルカメラにより録画した各録画データに対して共通の属性情報を付与する動作手順の一例を説明するフローチャートである。なお、図１３の説明では、図１１の説明と重複する内容の説明は簡略化又は省略し、異なる内容について説明する。
【０１０９】
図１３において、ステップＳ１２の後（つまり、第１カメラ１０により録画されている状態において）、警察官ＯＦが撮像領域（例えば現場）の状況を撮像するためのウェアラブルカメラを追加するために、ケーブルＣＢを介して第２カメラ１０Ｓと第１カメラ１０とを接続した場合には（Ｓ２１、ＹＥＳ）、第２カメラ１０Ｓは、撮像を開始する。この時、最初に撮像用に使用されていた第１カメラ１０は第２カメラ１０Ｓの追加に応じて撮像を停止してもよいし、撮像をそのまま継続してもよい。第２カメラ１０Ｓにより撮像された動画の映像データは、ケーブルＣＢを介して第１カメラ１０に転送される。
【０１１０】
属性情報付与スイッチＳＷ３からの入力があった場合には（Ｓ１６、ＹＥＳ）、ＭＣＵ１９は、属性選択スイッチＳＷ４の選択状態に対応する属性情報をＥＥＰＲＯＭ１６から読み込み、第２カメラ１０Ｓが第１カメラ１０に接続されるまでに第１カメラ１０が撮像した動画の第１映像データと第２カメラ１０Ｓにより撮像された動画の第２映像データとに対して共通の属性情報（属性選択スイッチＳＷ４の選択状態に対応する属性情報）を付与する（Ｓ２２）。
【０１１１】
ステップＳ２２の後、ＭＣＵ１９は、共通の属性情報を含むメタ情報を記憶部１５に出力し、直前に録画動作を終了して記憶した映像データと関連付けて記憶する（Ｓ２３）。メタ情報には、イベントＩＤ、時間情報（例えばウェアラブルカメラの追加を行った時間で第２カメラ１０Ｓによる撮像が開始された時間）、カメラＩＤ、ユーザＩＤ、録画カメラ情報（例えば同時２ｃｈ録画に用いたウェアラブルカメラ情報）、属性情報、ＧＰＳ情報が含まれる（図１２参照）。これにより、本実施形態のウェアラブルカメラシステム１００の動作は終了する。
【０１１２】
以上により、本実施形態のウェアラブルカメラシステム１００では、第１カメラ１０は、第１カメラ１０が撮像した第１映像データを記憶部１５に記憶する。第２カメラ１０Ｓは、第１カメラ１０により先に撮像され、かつ後から第２カメラ１０Ｓによる撮像が開始された場合には、第２カメラ１０Ｓが撮像した第２映像データを第１カメラ１０に送信する。第１カメラ１０は、第１カメラ１０により先に撮像され、かつ第２カメラ１０Ｓによる撮像が開始された場合には、第２カメラ１０Ｓから送信された第２映像データを受信し、第１映像データ及び第２映像データに関する属性情報の付与操作を受け付けると、付与操作に応じて、共通の属性情報を第１映像データ及び第２映像データに付与して記憶部１５に記憶する。
【０１１３】
これにより、ウェアラブルカメラシステム１００は、ユーザ（例えば警察官ＯＦ）が緊急時に急行した現場の状況を的確かつ広範に撮像するために、第１カメラ１０だけでなく第２カメラ１０Ｓも用いて撮像を開始した場合には、元々撮像して得られた第１映像データと後からの撮像に使用された第２カメラ１０Ｓが撮像した第２映像データとの両方に対し、第１カメラ１０単体に対する簡易な操作により、第１映像データ及び第２映像データがどのような種類の映像であるかを示す共通の属性情報を付与できる。従って、ウェアラブルカメラシステム１００は、ユーザ（例えば警察官ＯＦ）における現場の状況の的確かつ広範な撮像を支援でき、更に、撮像した映像データ（第１映像データ及び第２映像データ）を取扱う上での利便性を向上させることができる。
【０１１４】
また、本実施形態のウェアラブルカメラシステム１００では、第２カメラ１０Ｓは、第２カメラ１０Ｓにより先に撮像され、かつ第１カメラ１０による撮像が開始された場合には、第１カメラ１０による撮像が開始されるまでに第２カメラ１０Ｓが撮像した第２映像データを第１カメラ１０に送信する。第１カメラ１０は、第２カメラ１０Ｓにより先に撮像され、かつ第１カメラ１０による撮像が開始された場合には、第２カメラ１０Ｓから送信された第２映像データを受信し、第１カメラ１０が撮像した第１映像データ及び第２映像データに関する属性情報の付与操作を受け付けると、付与操作に応じて、共通の属性情報を第１映像データ及び第２映像データに付与して記憶部１５に記憶する。
【０１１５】
これにより、ウェアラブルカメラシステム１００は、ユーザ（例えば警察官ＯＦ）が緊急時に急行した現場の状況を的確かつ広範に撮像するために、第２カメラ１０Ｓだけでなく第１カメラ１０も用いて撮像を開始した場合には、元々撮像して得られた第２映像データと後からの撮像に使用された第１カメラ１０が撮像した第１映像データとの両方に対し、第１カメラ１０単体に対する簡易な操作により、第１映像データ及び第２映像データがどのような種類の映像であるかを示す共通の属性情報を付与できる。従って、ウェアラブルカメラシステム１００は、ユーザ（例えば警察官ＯＦ）における現場の状況の的確かつ広範な撮像を支援でき、更に、撮像した映像データ（第１映像データ及び第２映像データ）を取扱う上での利便性を向上させることができる。
【０１１６】
このため、ユーザ（例えば警察官ＯＦ）は、緊急時の撮像現場であっても、第１カメラ１０と第２カメラ１０Ｓのいずれかだけを用いて撮像していた状態から両方を用いて撮像することにより、元々の撮像に使用された一方のカメラ（例えば第１カメラ１０）が撮像した映像データ（例えば第１映像データ）と後からの撮像に使用された他方のカメラ（例えば第２カメラ１０Ｓ）が撮像した映像データ（例えば第２映像データ）とに共通する属性情報を確実に付与できる。また、警察署のバックエンドシステムに配置されたサーバに蓄積した映像データを利用する場合には、ユーザ（例えばバックエンドシステムの利用者）は、第１映像データ及び第２映像データに対して付与された共通の属性情報を参照することにより、それぞれの映像データがどのような種類であるかを容易に判別して抽出でき、更に、属性情報を含むメタ情報によって、いつ、どこで、どのカメラで誰が撮像した、どのような内容の映像であるかを容易に識別できる。
【０１１７】
また、ウェアラブルカメラシステム１００は、ユーザ（例えば警察官ＯＦ）の簡易な操作により、第１カメラ１０によって映像データの属性を容易に付与できるため、属性情報付与時の手間を削減でき、また、録画直後から映像データの識別を簡便に実施できる。
【０１１８】
また、第１カメラ１０は、第１映像データ又は第２映像データに関する属性情報の付与操作を属性情報付与スイッチＳＷ３において受け付け、属性情報の選択状態の指定操作を属性選択スイッチＳＷ４において受け付け、属性選択スイッチＳＷ４の選択状態に対応する属性情報を第１映像データ、第２映像データ、又はその両方に付与する。これにより、第１カメラ１０は、属性選択スイッチＳＷ４により選択された属性情報を、属性情報付与スイッチＳＷ３の操作入力により、第１映像データ、第２映像データ又はその両方に対して付与することで、ユーザ（例えば警察官ＯＦ）の第１カメラ１０単体に対する簡易な操作により属性情報の付与操作を簡易化できる。従って、第１カメラ１０は、ユーザ（例えば警察官ＯＦ）に対する属性情報付与時の手間を削減でき、録画直後から映像データの識別を簡便に実施できる。
【０１１９】
また、第１カメラ１０において、属性選択スイッチＳＷ４における複数の選択状態に対して異なる属性情報が割り付けられる。これにより、第１カメラ１０は、属性選択スイッチＳＷ４の操作により、複数の属性情報の中からユーザ（例えば警察官ＯＦ）が希望する属性情報を選択的に決定でき、第１映像データ、第２映像データ又はその両方に対して適切な属性を付与できる。
【０１２０】
また、本実施形態のウェアラブルカメラシステム１００では、第１カメラ１０と第２カメラ１０ＳとがケーブルＣＢを介して接続された場合に、第１カメラ１０又は第２カメラ１０Ｓのうち一方（例えば第１カメラ１０）から他方（例えば第２カメラ１０Ｓ）に切り替えて撮像され、第１カメラ１０と第２カメラ１０ＳとのケーブルＣＢを介した接続が切断された場合に、第１カメラ１０又は第２カメラ１０Ｓのうち他方（例えば第２カメラ１０Ｓ）から一方（例えば第１カメラ１０）に切り替えて撮像される。これにより、ウェアラブルカメラシステム１００は、ケーブルＣＢを介した接続又はその接続の切断により、第１カメラ１０と第２カメラ１０Ｓとの切替を簡易に行うことができる。
【０１２１】
また、本実施形態のウェアラブルカメラシステム１００では、第１カメラ１０と第２カメラ１０ＳとがケーブルＣＢを介して接続された場合に、第１カメラ１０及び第２カメラ１０Ｓの両方により撮像され、第１カメラ１０と第２カメラ１０ＳとのケーブルＣＢを介した接続が切断された場合には、第１カメラ１０又は第２カメラ１０Ｓのうち一方（第１カメラ１０又は第２カメラ１０Ｓ）により撮像される。これにより、ウェアラブルカメラシステム１００は、ケーブルＣＢを介した接続又はその接続の切断により、第１カメラ１０と第２カメラ１０Ｓとの撮像の兼用とその解除とを簡易に切り替えることができる。
【０１２２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【０１２３】
本発明は、警察官における現場の状況の的確かつ広範な撮像を支援し、撮像した映像データを取扱う上での利便性を向上させるウェアラブルカメラシステム及び撮像方法として有用である。
【符号の説明】
【０１２４】
１０  第１カメラ
１０ｓ  第２カメラ
１１  撮像部
１１ａ、１１ｓ１  レンズ
１１ｓ２  イメージセンサ
１１ｓ３  信号処理部
１１ｓ４  伝送部
１１ｓ５  通信Ｉ／Ｆ部
１１ｓ６  マイク
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２３  コンタクトターミナル
２４  電源部
２５  バッテリ
２６ａ、２６ｂ、２６ｃ  ＬＥＤ
２７  バイブレータ
５０  携帯端末
６０  車載システム
１００  ウェアラブルカメラシステム
ＳＶ１、ＳＶ２、ＳＶ３  バックエンドサーバ
ＳＷ１、ＳＷ１ｓ  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ
【要約】
【課題】警察官における現場の状況の的確かつ広範な撮像を支援し、撮像した映像データを取扱う上での利便性を向上させる。
【解決手段】ユーザが装着可能な第１カメラ及び第２カメラを含むウェアラブルカメラシステムであって、第１カメラは、第１撮像部と、第１撮像部が撮像した第１映像データ、又は第２カメラが撮像した第２映像データを記憶する記憶部と、第２カメラが送信した第２映像データを受信する受信部と、第１映像データ又は第２映像データに関する属性情報の付与操作を受け付ける入力部と、付与操作に応じて、属性情報を第１映像データ又は第２映像データに付与して記憶部に記憶する制御部と、を備える。第２カメラは、第２撮像部と、第２撮像部が撮像した第２映像データを第１カメラに送信する送信部と、を備える。
【選択図】図１１【図１】
0005849195.tif 000002
【図２】
0005849195.tif 000003
【図３】
0005849195.tif 000004
【図４】
0005849195.tif 000005
【図５】
0005849195.tif 000006
【図６】
0005849195.tif 000007
【図７】
0005849195.tif 000008
【図８】
0005849195.tif 000009
【図９】
0005849195.tif 000010
【図１０】
0005849195.tif 000011
【図１１】
0005849195.tif 000012
【図１２】
0005849195.tif 000013
【図１３】
0005849195.tif 000014